(57)【要約】【課題】  本発明は魚釣用電動リールに関し、釣糸の引き出しに伴いドラグ機構が機能する際に、遊星歯車動力伝達機構を構成する歯車や支持部等に大きな負荷が加わる虞のない魚釣用電動リールを提供することを目的とする。【解決手段】  リール本体に回転自在に支持されたスプールを巻取り駆動するスプール駆動モータと、当該スプール駆動モータの駆動力をスプールに伝達させる遊星歯車動力伝達機構と、釣糸の引き出しに伴うスプール回転時に当該スプールに制動力を付与するドラグ機構とを備え、遊星歯車動力伝達機構を構成する遊星歯車支持体に当該ドラグ機構を連結した魚釣用電動リールに於て、前記スプールと当該遊星歯車支持体との間に一方向クラッチを設け、釣糸の引き出しに伴うスプール回転時に、スプールと遊星歯車支持体を当該一方向クラッチを介して一体回転可能としたことを特徴とする。【選択図】    図２
2007000017.tif 000002
【特許請求の範囲】
【請求項１】
リール本体に回転自在に支持されたスプールを巻取り駆動するスプール駆動モータと、当該スプール駆動モータの駆動力をスプールに伝達させる遊星歯車動力伝達機構と、釣糸の引き出しに伴うスプール回転時に当該スプールに制動力を付与するドラグ機構とを備え、遊星歯車動力伝達機構を構成する遊星歯車支持体に当該ドラグ機構を連結した魚釣用電動リールに於て、
前記スプールと当該遊星歯車支持体との間に一方向クラッチを設け、釣糸の引き出しに伴うスプール回転時に、スプールと遊星歯車支持体を当該一方向クラッチを介して一体回転可能としたことを特徴とする魚釣用電動リール。
【発明の詳細な説明】
【技術分野】
【０００１】
本発明は、リール本体に回転可能に支持したスプールを巻取り駆動するスプール駆動モータを備えた魚釣用電動リールに関する。
【背景技術】
【０００２】
船釣り等、深場の魚層を対象とした魚釣りを行う場合、魚釣用電動リールが広く使用されている。
従来周知のように魚釣用電動リールは、スプール駆動モータの駆動でスプールを回転させて釣糸の巻取りを行うもので、特許文献１乃至特許文献３に開示されるようにこの種の魚釣用電動リールでは、スプール内部やスプール前方のリール本体に装着したスプール駆動モータの駆動力を、遊星歯車動力伝達機構（遊星減速機構）で減速してスプールに伝達させる構造が広く採用されている。
【０００３】
そして、実用性を高めるため、魚釣用電動リールは、スプール駆動モータによる巻取り駆動に加え、ハンドルによる巻取り操作が行えるように、手動巻取り駆動機構を遊星歯車動力伝達機構に連結した手動併用型電動リールが一般的に普及している。
また、魚の急激な引きに対するやり取りを支障（口切れや糸切れ発生等）なく行えるように、手動巻取り駆動機構側の動力伝達経路にドラグ機構が備えられており、釣糸の急な引き出しでスプールが釣糸繰出し方向へ回ろうとすると、その力は、スプールから一方向クラッチで逆転止めされたモータ軸を経て、モータ軸に連結された遊星歯車動力伝達機構の遊星歯車支持体（遊星キャリア）からドラグ機構に伝達され、ハンドル軸の逆転止めによってスプールに制動力が付与されるようになっている。
【特許文献１】実公平７−４６１５０号公報
【特許文献２】実用新案登録第２５７８５３８号公報
【特許文献３】特開２００３−１４４０２３号公報
【発明の開示】
【発明が解決しようとする課題】
【０００４】
しかし乍ら、斯様にドラグ機構が機能してスプールに制動力が加わる場合、釣糸の引き出し力がスプールからモータ軸を経て遊星歯車動力伝達機構に出力される構造上、ドラグ機構だけではなく、遊星歯車動力伝達機構を構成する歯車の歯面や支持部等にも大きな負荷が加わることとなる。
このため、長期に亘る使用で、遊星歯車動力伝達機構の歯車や支持部等に折損，変形，摩耗等が発生する虞があった。
【０００５】
また、遊星歯車動力伝達機構に十分な強度をもたせようとすると、遊星歯車動力伝達機構が大型化したり、高価な素材を使用することにもなって製造コストが高くなってしまう不具合がある。
本発明は斯かる実情に鑑み案出されたもので、釣糸の引き出しに伴いドラグ機構が機能する際に、遊星歯車動力伝達機構を構成する歯車や支持部等に大きな負荷が加わる虞のない魚釣用電動リールを提供することを目的とする。
【課題を解決するための手段】
【０００６】
斯かる目的を達成するため、請求項１に係る発明は、リール本体に回転自在に支持されたスプールを巻取り駆動するスプール駆動モータと、当該スプール駆動モータの駆動力をスプールに伝達させる遊星歯車動力伝達機構と、釣糸の引き出しに伴うスプール回転時に当該スプールに制動力を付与するドラグ機構とを備え、遊星歯車動力伝達機構を構成する遊星歯車支持体に当該ドラグ機構を連結した魚釣用電動リールに於て、前記スプールと当該遊星歯車支持体との間に一方向クラッチを設け、釣糸の引き出しに伴うスプール回転時に、スプールと遊星歯車支持体を当該一方向クラッチを介して一体回転可能としたことを特徴とする。
【発明の効果】
【０００７】
請求項１に係る発明によれば、ドラグ機構が機能してスプールに制動力が加わる場合、釣糸の引き出し力がスプールからモータ軸を経て遊星歯車動力伝達機構に出力される従来構造に代え、スプールと遊星歯車支持体との間に一方向クラッチを設けて、釣糸の引き出しに伴うスプールの回転時に、スプールと遊星歯車支持体を当該一方向クラッチを介して一体回転可能としたので、従来と異なり遊星歯車動力伝達機構を構成する歯車の歯面や支持部等に負荷が加わることがなくなり、この結果、各歯車や支持部等を補強することなく十分な強度，耐久性が得られ、リール全体の小型化も可能となる利点を有する。
【発明を実施するための最良の形態】
【０００８】
以下、本発明の実施形態を図面に基づいて詳細に説明する。
図１乃至図３は請求項１に係る魚釣用電動リール（以下、「電動リール」という）の一実施形態を示し、図１に於て、１はフレーム３の左右の側枠５，７に側板９，１１が着脱自在に装着されたリール本体、１３は当該リール本体１に回転自在に取り付くスプールで、フレーム３の左側の側枠５に、後述する円筒状のモータケース１５が取り付くセットプレート１７がビス止めされ、右側の側板１１の下方に、手動巻取り駆動機構１９のハンドル２１が回転可能に取り付けられている。
【０００９】
そして、スプール１３の内部に、当該スプール１３と軸心を同じくして左右の端面２３，２５に開口する断面円形形状の収容部２７が設けられており、スプール１３の左側のスプールフランジ２９側は、当該収容部２７内に収容されたモータケース１５の外周に軸受３１を介して回転可能に支持されている。
また、図２に示すようにスプール１３の右側のスプールフランジ３３側は、前記収容部２７を覆って端面２５にビス止めされたブラケット３５と、側枠７に一体成形されたセットプレート３７との間に装着した軸受３９によって、リール本体１に回転可能に支持されている。
【００１０】
そして、モータケース１５内に、これと軸心を同じくしてスプール駆動モータ（以下、「スプールモータ」という）４１が収容されており、その左モータ軸４３は、セットプレート１７に突設した筒状の軸受支持部４５内に軸受４７で支持されている。
図１に示すようにモータケース１５はセットプレート１７と別体構造で、前記収容部２７内に若干の間隙を空けて収容可能な円筒状に形成されている。そして、セットプレート１７側に開口するモータ出入口４９の外周に、径方向外方へ突出するフランジ部５１が設けられており、当該フランジ部５１をセットプレート１７にビス止めして、モータケース１５の一端側がセットプレート１７に取り付けられている。
【００１１】
また、図１中、５３はモータケース１５内に収容したスプールモータ４１の回転を規制する回止め機構で、当該回止め機構５３は、セットプレート１７から収容部２７内に突出する支持体５５と、当該支持体５５が係合するスプールモータ４１の端面５７に設けた凹部５９とで構成されている。
一方、図１及び図２に示すように前記収容部２７は、その中央よりハンドル２１側の内周に、スプールモータ４１の軸受部６１を、スプールモータ４１の他端側に取り付くシール部材６３を介して保持するプレート状の保持部６５が固着されている。そして、収容部２７の内部は当該保持部６５によって、スプール１３の端面２３側に開口するスプールモータ収容部６７と、スプール１３の端面２５側に開口する減速機構装着部（以下、「装着部」という）６９が区画形成されており、当該装着部６９内にスプールモータ１３の右モータ軸７１が突出し、当該右モータ軸７１とスプール１３との間に、３つの遊星歯車機構７３，７５，７７からなる遊星歯車動力伝達機構（遊星減速機構）７９が収容，装着されている。
【００１２】
そして、図１に示すように右モータ軸７１と側板１１の間に、手動巻取り駆動機構１９からの巻取り動力を遊星歯車動力伝達機構７９に伝達する回転駆動軸８１が右モータ軸７１と同軸上に配置されており、当該回転駆動軸８１は軸受８３，８５を介してブラケット３５と側板１１に回動自在に支持されている。
上述したように遊星歯車動力伝達機構７９は、３つの遊星歯車機構７３，７５，７７で構成されており、スプールモータ４１の駆動時にその駆動力を第１の遊星歯車機構７３で減速させ、更に第２，第３の遊星歯車機構７５，７７で駆動力を減速させてスプール１３に伝達するもので、図２に示すように第１の遊星歯車機構７３は、外周が非円形（断面Ｄ字形状）に形成された右モータ軸７１に回止め嵌合してこれと一体に回転する第１の太陽歯車８７と、当該太陽歯車８７に噛合する複数の遊星歯車８９と、各遊星歯車８９が常時噛合するように装着部６９（スプール１３）の内周に形成された内歯歯車９１とで構成されている。
【００１３】
また、第２の遊星歯車機構７５は、メタル軸受９３を介して右モータ軸７１に回転可能に支持された第２の太陽歯車９５と、当該太陽歯車９５に噛合する複数の遊星歯車９７とからなり、メタル軸受９３は、右モータ軸７１に対する太陽歯車９５の軸受部分に形成された凹部９９内に着脱自在に装着されている。そして、各遊星歯車９７は前記内歯歯車９１に噛合している。
【００１４】
同様に第３の遊星歯車機構７７は、メタル軸受１０１を介して右モータ軸７１の端部に回転可能に支持された第３の太陽歯車１０３と、当該太陽歯車１０３に噛合する複数の遊星歯車１０５とからなり、メタル軸受１０１は、右モータ軸７１に対する太陽歯車１０３の軸受部分に形成された凹部１０７内に着脱自在に装着されている。そして、各遊星歯車１０５は前記内歯歯車９１に噛合した構造となっている。
【００１５】
そして、前記遊星歯車８９は第１の遊星歯車支持体（以下、「遊星キャリア」という）１０９に支持され、当該遊星キャリア１０９は既述した太陽歯車９５と一体回転可能に連結されている。
また、前記遊星歯車９７は第２の遊星キャリア１１１に支持され、当該遊星キャリア１１１は既述した太陽歯車１０３と一体回転可能に連結されている。
【００１６】
更に、前記遊星歯車１０５は第３の遊星キャリア１１３に支持され、図２に示すように当該遊星キャリア１１３は、係止ピン１１５を介して回転駆動軸８１に連結されている。
そして、図１乃至図３に示すように本実施形態は、前記スプール１３と遊星キャリア１１３との間に一方向クラッチ１１７を設けて、釣糸の引き出しに伴うスプール回転時に、スプール１３と遊星キャリア１１３を当該一方向クラッチ１１７を介して一体回転可能としたことを特徴とする。
【００１７】
図３に示すように一方向クラッチ１１７は、断面正方形状に形成された遊星キャリア１１３のボス部１１９の外周に回止め嵌合したラチェット１２１と、当該ラチェット１２１に常時摺接する係止部材１２３とからなり、係止部材１２３は、スプール１３の端面２５にピン１２５で軸着されたストッパ（ストッパ片）１２７と、当該ストッパ１２７の先端側に取り付く断面略コ字状の板バネ１２９とで構成され、板バネ１２９の両端部１３１が、ラチェット１２１の外周を跨いでその両側面を挟持する状態で常時摩擦摺接している。
【００１８】
そして、後述するハンドル２１による巻取り操作に伴い、回転駆動軸８１が矢印Ａ方向へ回転して、これに係止ピン１１５で連結された遊星キャリア１１３と共にラチェット１２１が同方向へ回転すると、ラチェット１２１の両側面に摺接する係止部材１２３の一方向係止作用（板バネ１２９の摩擦作用）で、スプール１３がラチェット１２１と一体となって釣糸巻取り方向（矢印Ａ方向）へ回転するようになっている。
【００１９】
一方、既述したようにスプールモータ４１の駆動力は、遊星歯車機構７３，７５，７７で順次減速されるが、このスプールモータ４１による巻取り駆動時に前記遊星キャリア１１３は矢印Ｂ方向へ回転しようとするが、後述する周知の逆転防止装置１３３によって矢印Ｂ方向への回転が規制され、この結果、遊星反力で遊星キャリア１１３固定，太陽歯車１０３入力，内歯歯車９１出力によりスプール１３が釣糸巻取り方向（矢印Ａ方向）へ回転するようになっている。
【００２０】
そして、図１に示すように回転駆動軸８１上には、釣糸の繰り出しで回転するスプール１３に制動力を付与し乍ら、スプール１３の釣糸繰出し方向への回転を許容する制動作用を与えると共に、この制動作用を利用してスプール１３をスプールフリー状態と釣糸巻取り状態とに切り換える周知のドラグ機構１３５が装着されており、回転駆動軸８１上の側板１１に、ドラグ機構１３５のドラグ力を調節するドラグレバー１３７が取り付けられている。そして、ドラグ機構１３５を構成する押圧体１３９にピニオン１４１が一体回転可能に嵌合し、このピニオン１４１に手動巻取り駆動機構１９のドライブギヤ１４３が噛合している。
【００２１】
従来周知のように手動巻取り駆動機構１９は、図１に示すようにハンドル２１と、当該ハンドル２１が取り付くハンドル軸１４５と、これに回止め嵌合されたドライブギヤ１４３とで構成されており、ハンドル軸１４５の挿入先端側には、スプール１３をスプールモータ４１で巻取り駆動した際に、これに連動してハンドル軸１４５が回転しないようにその逆転防止を図る逆転防止装置１３３が設けられている。
【００２２】
この逆転防止装置１３３は、ドライブギヤ１４３にビス止めされてハンドル軸１４５に回止め嵌合されたラチェット１４７と、当該ラチェット１４７に対し一定の付勢力で常時係止する係止爪１４９とからなり、スプールモータ４１でスプール１３を巻取り駆動した際に、その駆動力が遊星キャリア１１３から回転駆動軸８１，ドラグ機構１３５，ピニオン１４１を経てドライブギヤ１４３に伝達されるが、その回転方向ではドライブギヤ１４３に取り付くラチェット１４７に係止爪１４９が係止方向で噛み合ってラチェット１４７の回転、即ち、ハンドル軸１４５の回転が阻止されるようになっている。
【００２３】
この結果、既述したようにスプールモータ４１の駆動力は、遊星反力で遊星キャリア１１３固定，太陽歯車１０３入力，内歯歯車９１出力によりスプール１３が釣糸巻取り方向（矢印Ａ方向）へ回転する。
また、これに対し、ハンドル２１の操作でスプール１３を釣糸巻取り方向に回転させた場合、その回転方向では係止爪１４９がラチェット１４３の回転を許容するように構成されているため、ハンドル２１の回転操作に連動してハンドル軸１４５を回転させることができ、この結果、既述したようにハンドル２１による巻取り操作に伴い、回転駆動軸８１が矢印Ａ方向へ回転して、これに係止ピン１１５を介して連結された遊星キャリア１１３と共にラチェット１２１が同方向へ回転することにより、係止部材１２３の係止作用で、スプール１３がラチェット１２１と一体となって釣糸巻取り方向（矢印Ａ方向）へ回転する。
【００２４】
そして、上述した一方向クラッチ１１７の構成により、実釣時に釣糸の急な引き出しでスプール１３が釣糸繰出し方向（図３中、矢印Ｃ方向）へ回転すると、スプール１３に取り付く係止部材１２３の係止作用でラチェット１２１が同方向（図３中、矢印Ｂ方向）へ回転するため、ラチェット１２１が取り付く遊星キャリア１１３が直接回転駆動軸８１を回転させてその力がドラグ機構１３５に伝達され、この結果、逆転防止装置１３３によるハンドル軸１４５の逆転止めによって、ドラグ機構１３５で摩擦結合される回転駆動軸８１を介して釣糸の繰り出しで回転するスプール１３に制動力を付与し乍ら、スプール１３の釣糸繰出し方向への回転を許容するようになっている。
【００２５】
その他、図１中、１５１は電動リール１５３のコネクタ１５５に接続した給電コードである。また、図示しないがリール本体１には、スプールモータ４１のＯＮ／ＯＦＦスイッチを装着した制御ボックスが装着されており、当該ＯＮ／ＯＦＦスイッチの操作でスプールモータ４１が駆動／停止するようになっている。
本実施形態はこのように構成されているから、給電コード１５１を介して電動リール１５３を外部電源に接続すれば、スプールモータ４１が駆動可能となる。
【００２６】
そして、ドラグレバー１３７を前後方向に回転操作すると、ドラグ機構１３５によってスプール１３に所定のドラグ力が発生し、この状態でスプールモータ４１を駆動させたりハンドル２１を巻取り操作すれば、これらの駆動力が遊星歯車動力伝達機構７９や手動巻取り駆動機構１９によりスプール１３に伝達されてスプール１３が回転し釣糸が巻き取られるが、スプールモータ４１による巻取り操作時に、スプールモータ４１の駆動力は遊星歯車機構７３，７５，７７で順次減速される。そして、図３に示すように遊星キャリア１１３とラチェット１２１は矢印Ｂ方向へ回転しようとするが、逆転防止装置１３３によってハンドル軸１４５の回転が阻止されているため、ハンドル軸１４５にドライブギヤ１４３を介して連結したピニオン１４１の回転が規制される。
【００２７】
この結果、回転駆動軸８１及び遊星キャリア１１３は回転せず、太陽歯車１０３がメタル軸受１０１を介して時計回りに回転することで、遊星キャリア１１３に支持された遊星歯車１０５は、太陽歯車１０３の周りを公転することなく一定位置で反時計回りに自転する。そして、この状態で遊星歯車１０５の反時計回りの回転運動は内歯歯車９１に減速されて伝達されるため、スプール１３が釣糸巻取り方向に回転して釣糸が巻き取られ、この巻取り操作時に、逆転防止装置１３３の作用でハンドル２１が連動回転することがない。
【００２８】
一方、ハンドル２１による巻取り操作に伴い、図３に示すように回転駆動軸８１が矢印Ａ方向へ回転して、これに係止ピン１１５で連結された遊星キャリア１１３と共にラチェット１２１が同方向へ回転すると、ラチェット１２１の両側面に摺接する係止部材１２３の係止作用（板バネ１２９の摩擦作用）で、スプール１３がラチェット１２１と一体となって釣糸巻取り方向（矢印Ａ方向）へ回転する。
【００２９】
そして、斯様にハンドル２１の操作でスプール１３を釣糸巻取り方向に回転させた場合、その回転方向では係止爪１４９がラチェット１４３の回転を許容するため、ハンドル２１の回転操作に連動してハンドル軸１４５を回転させることができる。
また、魚の当たりがあって、釣糸が急な引き出しで引っ張られてスプール１３が釣糸繰出し方向（図３中、矢印Ｃ方向）へ回転すると、既述したようにスプール１３に取り付く係止部材１２３の係止作用でラチェット１２１が同方向（図３中、矢印Ｂ方向）へ回転するため、ラチェット１２１が取り付く遊星キャリア１１３が直接回転駆動軸８１を回転させてその力がドラグ機構１３５に伝達されるが、逆転防止装置１３３によるハンドル軸１４５の逆転止めにより、ドラグ機構１３５で摩擦結合される回転駆動軸８１を介して釣糸の繰り出しで回転するスプール１３に制動力を付与し乍ら、スプール１３の釣糸繰出し方向への回転を許容することとなる。
【００３０】
このように本実施形態は、ドラグ機構が機能してスプールに制動力が加わる場合、釣糸の引き出し力がスプールからモータ軸を経て遊星歯車動力伝達機構に出力される従来構造に代え、スプール１３と遊星キャリア１１３との間に一方向クラッチ１１７を設けて、釣糸の引き出しに伴うスプール１３の回転時に、スプール１３と遊星キャリア１１３を当該一方向クラッチ１１７を介して一体回転可能としたので、従来と異なり遊星歯車動力伝達機構７９（遊星歯車機構７３，７５，７７）を構成する太陽歯車８７，９５，１０３や遊星歯車８９，９７，１０５等の歯面や支持部等に負荷が加わることがなくなり、この結果、これらの各歯車や支持部等を補強することなく十分な強度，耐久性が得られ、リール全体の小型化も可能となる利点を有する。
【００３１】
尚、上記実施形態では、一方向クラッチ１１７をラチェット１２１と係止部材１２３とで構成したが、斯かる一方向クラッチ１１７に代え、周知の転がり式一方向クラッチ等を使用してもよいことは勿論である。
【図面の簡単な説明】
【００３２】
【図１】請求項１の一実施形態に係る電動リールの要部断面図である。
【図２】遊星歯車動力伝達機構の拡大断面図である。
【図３】図２のIII−III線断面図である。
【符号の説明】
【００３３】
１  リール本体
３  フレーム
５，７  側枠
９，１１  側板
１３  スプール
１５  モータケース
１７，３７  セットプレート
１９  手動巻取り駆動機構
２１  ハンドル
２７  収容部
３５  ブラケット
４１  スプールモータ
４３  左モータ軸
５３  回止め機構
６５  保持部
７１  右モータ軸
７３，７５，７７  遊星歯車機構
７９  遊星歯車動力伝達機構
８１  回転駆動軸
８７，９５，１０３  太陽歯車
８９，９７，１０５  遊星歯車
９１  内歯歯車
１０９，１１１，１１３  遊星キャリア
１１５  係止ピン
１１７  一方向クラッチ
１２１，１４７  ラチェット
１２３  係止部材
１２５  ピン
１２７  ストッパ
１２９  板バネ
１３３  逆転防止装置
１３５  ドラグ機構
１４１  ピニオン
１４３  ドライブギヤ
１４５  ハンドル軸
１４９  係止爪
１５３  電動リール
【図１】
2007000017.tif 000003
【図２】
2007000017.tif 000004
【図３】
2007000017.tif 000005